(57)【特許請求の範囲】
【請求項１】
記録媒体に対して光記録によってデータの記録を行う光記録装置であって、
上記記録媒体に対してデータを書き込む書き込み手段と、
上記書き込み手段によって上記記録媒体に書き込まれた情報を、読み出し専用装置に読み出し可能とさせるためのクローズセッション処理を行うクローズセッション処理手段と、
上記クローズセッション処理手段によるクローズセッション処理に関する情報を表示する表示手段と、
上記クローズセッション処理手段によるクローズセッション処理の有無に基づいて上記クローズセッション処理に関する情報を上記表示手段に表示させる制御手段とを備え、
上記制御手段は、上記書き込み手段が上記記録媒体に書き込んだ情報の量に基づいて上記記録媒体における未記録残量を検出し、上記表示手段に上記クローズセッションに関する情報とともに残量情報を表示させ、さらに上記書き込み手段により上記記録媒体に書き込まれた情報のうちの上記クローズセッション処理済み領域とクローズセッション未処理領域とを、上記残量情報領域と区別して、それぞれの割合を視覚的に把握可能なアイコンで上記表示手段に表示させることを特徴とする光記録装置。
【請求項２】
上記制御手段は、上記クローズセッションに関する情報と上記残量情報とを一体化したアイコンで上記表示手段に表示させることを特徴とする請求項１記載の光記録装置。
【請求項３】
上記制御手段は、上記記録媒体全体に占めるクローズセッション処理済み領域と、残量情報領域の割合を視覚的に把握可能なアイコンで上記表示手段に表示させることを特徴とする請求項１記載の光記録装置。
【請求項４】
光記録によってデータが記録された記録媒体における記録残量を表示部に表示するための光記録媒体残量表示方法であって、
上記記録媒体に書き込まれた情報を、読み出し専用装置に読み出し可能とさせるためのクローズセッション処理を行うクローズセッション処理工程と、
上記クローズセッション処理工程によるクローズセッション処理の有無に基づいて上記クローズセッション処理に関する情報を上記表示部に表示させるとともに、上記記録媒体に書き込まれた情報の量に基づいて上記記録媒体における未記録残量を検出し、上記クローズセッションに関する情報とともに上記表示部に残量表示として表示させる表示制御工程とを備え、
上記表示制御工程は、上記記録媒体に書き込まれた情報のうちの上記クローズセッション処理済み領域とクローズセッション未処理領域とを、上記残量情報領域と区別して、それぞれの割合を視覚的に把握可能なアイコンで上記表示部に表示させる
ことを特徴とする光記録媒体残量表示方法。
【請求項５】
上記表示制御工程は、上記クローズセッションに関する情報と上記残量情報とを一体化したアイコンで上記表示部に表示させることを特徴とする請求項４記載の光記録媒体残量表示方法。
【請求項６】
上記表示制御工程は、上記記録媒体全体に占めるクローズセッション処理済み領域と、残量情報領域の割合を視覚的に把握可能なアイコンで上記表示部に表示させることを特徴とする請求項４記載の光記録媒体残量表示方法。
【請求項７】
記録媒体に対して光記録によって撮像データの記録を行う撮像装置であって、
被写体を撮像し撮像データを出力する撮像手段と、
上記記録媒体に対して撮像データを書き込む書き込み手段と、
上記書き込み手段によって上記記録媒体に書き込まれた情報を、読み出し専用装置に読み出し可能とさせるためのクローズセッション処理を行うクローズセッション処理手段と、
上記クローズセッション処理手段によるクローズセッション処理に関する情報を表示する表示手段と、
上記クローズセッション処理手段によるクローズセッション処理の有無に基づいて上記クローズセッション処理に関する情報を上記表示手段に表示させる制御手段とを備え、
上記制御手段は、上記書き込み手段が上記記録媒体に書き込んだ情報の量に基づいて上記記録媒体における未記録残量を検出し、上記表示手段に上記クローズセッションに関する情報とともに残量情報を表示させ、さらに上記書き込み手段により上記記録媒体に書き込まれた情報のうちの上記クローズセッション処理済み領域とクローズセッション未処理領域とを、上記残量情報領域と区別して、それぞれの割合を視覚的に把握可能なアイコンで上記表示手段に表示させることを特徴とする撮像装置。
【請求項８】
光記録によって撮像データが記録された記録媒体における記録残量を表示部に表示するための撮像装置の光記録媒体残量表示方法であって、
上記記録媒体に書き込まれた撮像データを、読み出し専用装置に読み出し可能とさせるためのクローズセッション処理を行うクローズセッション処理工程と、
上記クローズセッション処理工程によるクローズセッション処理の有無に基づいて上記クローズセッション処理に関する情報を上記表示部に表示させるとともに、上記記録媒体に書き込まれた情報の量に基づいて上記記録媒体における未記録残量を検出し、上記クローズセッションに関する情報とともに上記表示部に残量表示として表示させる表示制御工程とを備え、
上記表示制御工程は、上記記録媒体に書き込まれた情報のうちの上記クローズセッション処理済み領域とクローズセッション未処理領域とを、上記残量情報領域と区別して、それぞれの割合を視覚的に把握可能なアイコンで上記表示部に表示させることを特徴とする撮像装置の光記録媒体残量表示方法。
【請求項９】
記録媒体に対して光記録によって撮像データの記録を行う撮像装置であって、
被写体を撮像し撮像データを出力する撮像手段と、
撮像記録動作時は上記記録媒体上の暫定ＴＯＣ情報から得られた空き領域の開始アドレスより、上記記録媒体に対して撮像データを書き込む書き込み手段と、
書き込み終了後に上記暫定ＴＯＣ情報を追加し、上記書き込み手段によって上記記録媒体に書き込まれた情報を、読み出し専用装置に読み出し可能とさせるためのクローズセッション処理を行うクローズセッション処理手段と、
撮像記録動作時には上記撮像データを表示用画像データに変換して表示し、再生表示動作時には暫定ＴＯＣ情報から得られる上記記録媒体上の物理アドレスより読み出された撮像データを上記表示用画像データに変換して表示する表示手段と、
上記クローズセッション処理手段によるクローズセッション処理の有無に基づいて上記クローズセッション処理に関する情報を上記表示用画像データに合成して上記表示手段に表示させる制御手段とを備えることを特徴とする撮像装置。
【請求項１０】
光記録によって撮像データが記録された記録媒体における記録残量を表示部に表示するための撮像装置の光記録媒体残量表示方法であって、
撮像記録動作時は上記記録媒体上の暫定ＴＯＣ情報から得られた空き領域の開始アドレスより、上記記録媒体に対して撮像データを書き込む書き込み工程と、
書き込み終了後に上記暫定ＴＯＣ情報を追加し、上記書き込み工程によって上記記録媒体に書き込まれた情報を、読み出し専用装置に読み出し可能とさせるためのクローズセッション処理を行うクローズセッション処理工程と、
撮像記録動作時には上記撮像データを表示用画像データに変換して表示し、再生表示動作時には暫定ＴＯＣ情報から得られる上記記録媒体上の物理アドレスより読み出された撮像データを上記表示用画像データに変換して表示する表示工程と、
上記クローズセッション処理工程によるクローズセッション処理の有無に基づいて上記クローズセッション処理に関する情報を上記表示用画像データに合成して上記表示工程により表示させる制御工程とを備えることを特徴とする撮像装置の光記録媒体残量表示方法。
【発明の詳細な説明】
【０００１】
【発明の属する技術分野】
本発明は光記録装置に関し、特に、記録媒体に対してレーザ光を使用して記録したデータを、CD-ROMドライブ装置によって再生可能とするクローズセッション処理の有無に関する情報を表示可能とする光記録装置に関する。また、記録媒体における記録残量を表示部に表示するための光記録媒体残量表示方法に関する。また、記録媒体に対して光記録によって撮像データの記録を行う撮像装置に関する。さらに、光記録によって撮像データが記録された記録媒体における記録残量を表示部に表示するための撮像装置の光記録媒体残量表示方法に関する。
【０００２】
【従来の技術】
光学的読取りを応用した、いわゆるCD（Compact Disc）のようなディスク状記録媒体（以下、光ディスクと記す。）は、記憶容量が大きく、ランダムアクセスが可能である。また、光学読取りは、非接触であることから、磁気テープのような接触型の記録媒体と比較してヘッドクラッシュ等の危険や読取りによる摩耗・損傷がない。また、ディスク表面が頑丈なことから、偶発的なデータ消失の危険性も少ない。このように多くの利点を持つ光ディスクは、コンピュータ周辺のメモリとして、またデータ制作・データ保存において優れた記録媒体である。
【０００３】
近年においては、CD-R（Compact Disc-Recordable）と呼ばれる追記型の光ディスクを用いた記録再生装置が開発されている。このようなCD-Rのなかには、CD-ROM、CD-ROM/XA、CD-I、CD-DAといったコンパクト・ディスクで使用される全ての標準的なフォーマットに対応した書込みを簡単に行うことができるものもある。またCD-Rは、上述のように様々な利点を有するため、従来の磁気テープ、磁気ディスク等に代わって、電子機器に搭載されて、データを記録及び／又は再生するための媒体として使用されるようになった。
【０００４】
CD-Rでは、記録データが追記されて書き足されていくために、記録可能な状態では、CD-ROM等においてディスク内周部に記録されている目次情報（以下、TOC：Table Of Contentsと記す。）は、記述されていない。
【０００５】
即ち、CD-Rでは、適当な量のデータが記録された状況で、初めてクローズセッション処理（ファイナライズ処理）を行って、記録媒体の目次情報としてのTOC情報を書込むようになっている。
【０００６】
CD-Rは、クローズセッション処理が行われていない状態（追記可能な状態）では、記録媒体のPMA（Program Managemant Area）に書き込まれている暫定TOCを参照することで追記開始位置や、再生データの記録位置を探っている。CD-ROMを再生するための再生装置では、PMAに記述されたこの暫定TOCを読出すことができないため、クローズセッション処理されていない追記型記録媒体をCD-ROMに対応する再生装置で読み取ることは不可能である。そのため、CD-ROM対応の再生装置（CD-ROMドライブ装置）で再生可能とするためには、クローズセッション処理を行う必要がある。
【０００７】
以下に、従来の記録装置において行われるクローズセッション処理を図１３のフローチャートを用いて説明する。
【０００８】
ユーザからの操作により、クローズセッション動作の実行が指示されると、記録装置は、ステップＳ４１において、記録媒体のPMAから、暫定TOCを含む書き込み済み領域の情報を読出す。
【０００９】
次に、ステップＳ４２において、書き込み済み領域の情報に基づいて正規のTOCを作成する。次に、ステップＳ４３において、リードアウト（Lead-out Area）領域をゼロ埋めする。
【００１０】
続いて、ステップＳ４４において、リードイン領域に正規のTOCを書込み、書込みが終了したらクローズセッション処理を完了する。
【００１１】
【発明が解決しようとする課題】
ところで、上述したクローズセッション処理が行われる記録媒体において、媒体上にクローズセッション処理済み、すなわちCD-ROMドライブで読み出し可能な部分と、クローズセッション処理未実施の部分、すなわちCD-ROMドライブで読み出し不可能な部分の両者が存在するが、残量表示の際はこれらを区分した情報表示を行っていなかった。
【００１２】
このように単なる残量表示のみでは、現在の記録媒体がCD-ROMドライブ装置で再生可能かどうかの確認ができず、これらを用いた例えばデジタルスチルカメラ（ＤＳＣ）や記録再生システムでは、クローズセッション処理に関する情報確認のための機能を別に用意する必要があり操作性上も不便であった。
【００１３】
本発明は、上記実情に鑑みてなされたものであり、クローズセッション処理済みの有無が視覚的に簡単に分かり、かつクローズセッション処理をすべきかどうかの判断がしやすくなる光記録装置、撮像装置の提供を目的とする。また、例えば光記録装置及び撮像装置の使用者にクローズセッション処理済みの有無を視覚的に簡単に分からせ、かつクローズセッション処理をすべきかどうかの判断をしやすくさせる光記録媒体残量表示方法及び撮像装置の光記録媒体残量表示方法の提供を目的とする。
【００１４】
【課題を解決するための手段】
本発明に係る光記録装置は、上記課題を解決するために、記録媒体に対して光記録によってデータの記録を行う光記録装置であって、上記記録媒体に対してデータを書き込む書き込み手段と、上記書き込み手段によって上記記録媒体に書き込まれた情報を、読み出し専用装置に読み出し可能とさせるためのクローズセッション処理を行うクローズセッション処理手段と、上記クローズセッション処理手段によるクローズセッション処理に関する情報を表示する表示手段と、上記クローズセッション処理手段によるクローズセッション処理の有無に基づいて上記クローズセッション処理に関する情報を上記表示手段に表示させる制御手段とを備え、上記制御手段は、上記書き込み手段が上記記録媒体に書き込んだ情報の量に基づいて上記記録媒体における未記録残量を検出し、上記表示手段に上記クローズセッションに関する情報とともに残量情報を表示させ、さらに上記書き込み手段により上記記録媒体に書き込まれた情報のうちの上記クローズセッション処理済み領域とクローズセッション未処理領域とを、上記残量情報領域と区別して、それぞれの割合を視覚的に把握可能なアイコンで上記表示手段に表示させる。
【００１５】
本発明に係る光記録媒体残量表示方法は、上記課題を解決するために、光記録によってデータが記録された記録媒体における記録残量を表示部に表示するための光記録媒体残量表示方法であって、上記記録媒体に書き込まれた情報を、読み出し専用装置に読み出し可能とさせるためのクローズセッション処理を行うクローズセッション処理工程と、上記クローズセッション処理工程によるクローズセッション処理の有無に基づいて上記クローズセッション処理に関する情報を上記表示部に表示させるとともに、上記記録媒体に書き込まれた情報の量に基づいて上記記録媒体における未記録残量を検出し、上記クローズセッションに関する情報とともに上記表示部に残量表示として表示させる表示制御工程とを備え、上記表示制御工程は、上記記録媒体に書き込まれた情報のうちの上記クローズセッション処理済み領域とクローズセッション未処理領域とを、上記残量情報領域と区別して、それぞれの割合を視覚的に把握可能なアイコンで上記表示部に表示させる。
【００１６】
本発明に係る撮像装置は、上記課題を解決するために、記録媒体に対して光記録によって撮像データの記録を行う撮像装置であって、被写体を撮像し撮像データを出力する撮像手段と、上記記録媒体に対して撮像データを書き込む書き込み手段と、上記書き込み手段によって上記記録媒体に書き込まれた情報を、読み出し専用装置に読み出し可能とさせるためのクローズセッション処理を行うクローズセッション処理手段と、上記クローズセッション処理手段によるクローズセッション処理に関する情報を表示する表示手段と、上記クローズセッション処理手段によるクローズセッション処理の有無に基づいて上記クローズセッション処理に関する情報を上記表示手段に表示させる制御手段とを備え、上記制御手段は、上記書き込み手段が上記記録媒体に書き込んだ情報の量に基づいて上記記録媒体における未記録残量を検出し、上記表示手段に上記クローズセッションに関する情報とともに残量情報を表示させ、さらに上記書き込み手段により上記記録媒体に書き込まれた情報のうちの上記クローズセッション処理済み領域とクローズセッション未処理領域とを、上記残量情報領域と区別して、それぞれの割合を視覚的に把握可能なアイコンで上記表示手段に表示させる。
【００１７】
本発明に係る撮像装置の光記録媒体残量表示方法は、上記課題を解決するために、光記録によって撮像データが記録された記録媒体における記録残量を表示部に表示するための撮像装置の光記録媒体残量表示方法であって、上記記録媒体に書き込まれた撮像データを、読み出し専用装置に読み出し可能とさせるためのクローズセッション処理を行うクローズセッション処理工程と、上記クローズセッション処理工程によるクローズセッション処理の有無に基づいて上記クローズセッション処理に関する情報を上記表示部に表示させるとともに、上記記録媒体に書き込まれた情報の量に基づいて上記記録媒体における未記録残量を検出し、上記クローズセッションに関する情報とともに上記表示部に残量表示として表示させる表示制御工程とを備え、上記表示制御工程は、上記記録媒体に書き込まれた情報のうちの上記クローズセッション処理済み領域とクローズセッション未処理領域とを、上記残量情報領域と区別して、それぞれの割合を視覚的に把握可能なアイコンで上記表示部に表示させる。
【００１８】
本発明に係る撮像装置は、上記課題を解決するために、記録媒体に対して光記録によって撮像データの記録を行う撮像装置であって、被写体を撮像し撮像データを出力する撮像手段と、撮像記録動作時は上記記録媒体上の暫定ＴＯＣ情報から得られた空き領域の開始アドレスより、上記記録媒体に対して撮像データを書き込む書き込み手段と、書き込み終了後に上記暫定ＴＯＣ情報を追加し、上記書き込み手段によって上記記録媒体に書き込まれた情報を、読み出し専用装置に読み出し可能とさせるためのクローズセッション処理を行うクローズセッション処理手段と、撮像記録動作時には上記撮像データを表示用画像データに変換して表示し、再生表示動作時には暫定ＴＯＣ情報から得られる上記記録媒体上の物理アドレスより読み出された撮像データを上記表示用画像データに変換して表示する表示手段と、上記クローズセッション処理手段によるクローズセッション処理の有無に基づいて上記クローズセッション処理に関する情報を上記表示用画像データに合成して上記表示手段に表示させる制御手段とを備える。
【００１９】
本発明に係る撮像装置の光記録媒体残量表示方法は、上記課題を解決するために、光記録によって撮像データが記録された記録媒体における記録残量を表示部に表示するための撮像装置の光記録媒体残量表示方法であって、撮像記録動作時は上記記録媒体上の暫定ＴＯＣ情報から得られた空き領域の開始アドレスより、上記記録媒体に対して撮像データを書き込む書き込み工程と、書き込み終了後に上記暫定ＴＯＣ情報を追加し、上記書き込み工程によって上記記録媒体に書き込まれた情報を、読み出し専用装置に読み出し可能とさせるためのクローズセッション処理を行うクローズセッション処理工程と、撮像記録動作時には上記撮像データを表示用画像データに変換して表示し、再生表示動作時には暫定ＴＯＣ情報から得られる上記記録媒体上の物理アドレスより読み出された撮像データを上記表示用画像データに変換して表示する表示工程と、上記クローズセッション処理工程によるクローズセッション処理の有無に基づいて上記クローズセッション処理に関する情報を上記表示用画像データに合成して上記表示工程により表示させる制御工程とを備える。
【００２３】
【発明の実施の形態】
以下、本発明の実施の形態について図面を参照しながら説明する。
【００２４】
この実施の形態は、追記型の記録媒体に対して、撮像した画像データの書き込み、及び記録媒体からの画像データの読みだしを行う、図１に構成を示すディジタルスチルカメラ１である。特にこのデジタルスチルカメラ１は、追記型の記録媒体として、ディスク形状を呈するいわゆるCD-R（Compact Disc-Recordable）２６を使用する。
【００２５】
このデジタルスチルカメラ１は、CD-R２６に対してデータを書き込む書き込み手段となるCD-Rドライブ部２と、このCD-Rドライブ部２によってCD-R２６に書き込まれた情報を、読み出し専用装置であるCD-ROMドライブ装置に読み出し可能とさせるためのクローズセッション処理を行うクローズセッション処理部４と、このクローズセッション処理部４によるクローズセッション処理に関する情報を表示する表示部である、例えば液晶ディスプレイ（LCD：Liquid Crystal Display）パネル部１２と、クローズセッション処理部４によるクローズセッション処理の有無に基づいて上記クローズセッション処理に関する情報をLCDパネル部１２に表示させる制御部５とを備える。ここで、クローズセッション処理部４と、制御部５は、CPU３が実行する機能を示す機能ブロックである。CPU３は図示しないプログラムメモリと、作業領域となるSRAM（Static Random Access Memory）を接続している。上記プログラムメモリには、上記クローズセッション処理を行うためのクローズセッション処理プログラムと、本発明の光記録媒体残量表示方法の具体例となる光記録媒体残量表示プログラムが格納されている。CPU３は、上記プログラムメモリからクローズセッション処理プログラムと、上記光記録媒体残量表示プログラムとを取り出し、上記SRAMを作業領域として実行している。上記クローズセッション処理プログラムについては、図１３を用いて説明した通りである。また、上記光記録媒体残量表示プログラムについては後述する。CPU３はメインバス（Main Bus）を介して、上記CD-Rドライブ部２と接続されている。
【００２６】
また、デジタルスチルカメラ１は、被写体を撮像する撮像部１０に、撮像部１０からの画像信号に変換処理を施すイメージシグナルプロセッサ（Image Signal Processor：画像信号演算処理部）１１を接続している。イメージシグナルプロセッサ１１はメインバスを介して、CPU３に接続している。また、イメージシグナルプロセッサ１１にはVRAM７が接続され、このVRAM７にはD/Aコンバータ８が接続され、このD/Aコンバータ８には上記LCDパネル部１２が接続されている。
【００２７】
また、メインバスにはメインRAM９も接続され、イメージシグナルプロセッサ１１にて所定の変換処理が施されたデータが格納される。さらに上記CPU３には操作パネル６も接続されている。
【００２８】
このデジタルスチルカメラ１は、UDF（Universal Disk Format）に準拠したファイルシステムに基づいて、追記型の記録媒体（ここではCD-R）に対して、撮像した画像データの書込み、及び記録媒体からの画像データの読出しを行う。
【００２９】
UDF（Universal Disk Format）は、CD-R、WORM（Write-Once Read-Many optical disk）、CD-R/RW（Compact Disc-Recordable/Rewritable）、MO（Magnet Optical Disk）、DVD（Digital Versatile Disk）等の各種メディアに対して相互に使用可能なファイル名の文字コード、ファイル属性等を記述するための定義の１つであり、OSTA（Optical Storage Technology Association）によって策定されている。
【００３０】
つまり、UDFは、どの様なOSからも書込可能で、かつ書き込んだファイルは、特別なリーダプログラム無しにあらゆるOS上での再生互換が実現されるファイルシステムである。
【００３１】
UDFでは、主なデータ構造として、ファイルエントリICB（File Entry Information Control Block）が用いられている。UDFでは、全てのファイルとディレクトリが独自のICBを持っている。本発明の実施の形態における撮像画像の画像データ等の実データを格納しているファイルは、一般的にそれを定義するICBよりも前に書かれるようになっているため、ファイルが複数のエクステント（データ列）上に置かれる場合、ICBにはそれらのエクステントのリストを含めることができる。
【００３２】
UDFでは、VAT（Virtual Allocation Table）と呼ばれるマッピングテーブルを利用して、各ファイルに仮想参照（Virtual Reference）のためのシーケンシャルな番号（仮想アドレス）を割り当てている。国際規格であるISO9660に準拠するファイルシステムが記録媒体上の各ファイルやディレクトリを論理アドレスによって直接参照するようになっているのに対して、UDFでは上述のような仮想アドレスで参照している。VATは、トラック内のどの場所にでも配置することができ、更にVATは、VATの位置を指し示すVAT ICBによって参照されるようになっている。
【００３３】
UDFにおいてVAT ICBは、記録媒体上に最後に記録された物理アドレスに置くことが決められている。VATは、複数のエクステント上に分割されて配置されているが、VAT ICBは、VATのエクステントリストを含んでいる。したがって、UDFでは、ファイルが何らかの方法で変更されたとしても、一連のファイルポインタ全体を変更する必要はなく、最終的にはVAT ICBのみを変更すれば、変更されたファイルに辿り着くことができる。
【００３４】
そして、UDFに準拠するファイルシステムでは、シーク動作を行うことによって、シーケンシャルライトの記録媒体を、あたかもランダムリードライトの記録媒体であるかのように扱うことを可能としている。
【００３５】
CD-Rドライブ部２は、図２に示すように、CD-R２６に対して書込及び／又は読出しを行うOP（Optical Pickup）部１３と、読出し信号をRF処理するRF処理部１４と、RF処理部１４からの各信号からサーボ信号を生成するサーボ信号処理部１５と、サーボ信号処理部１５からの信号に基づいて各ドライバを制御するためのアナログ信号を生成するアナログフィルタ処理部１６と、CD-R２６からの読出し信号を処理する信号処理部１７と、スピンドルモータの回転を制御するスピンドルドライバ１８と、後述のスレッドモータの動作を制御するスレッドドライバ１９と、OP部１３の対物レンズを揺動するトラッキングドライバ２０と、CD-R２６に対してOP部１３の対物レンズを垂直方向に動かしてビームの焦点を制御するフォーカスドライバ２１と、CD-R２６を駆動するスピンドルモータ２２と、OP部１３をCD-R２６の径方向に移動するスレッドモータ２３と、OP部１３周辺の温度を検出する温度検出センサ２４とを備え、CD-R２６に対して、撮像した画像データの書込み、及び画像データの読出しを行う。
【００３６】
OP（Optical Pickup）部１３は、対物レンズ、レーザダイオード（LD）、レーザダイオードドライバ（LDdrv）、フォトディテクトIC（Photo Detect IC）、ハーフミラー等を含み、光信号を検出してRF処理部１４へと出力する。また、CD-R２６に対して記録する際には、ピット形成に必要な信号処理部１７からのレーザの点滅・駆動信号（DECEFMW）、レーザ強度と明滅の最適値を示す（ライトストラテジ）信号等に基づいてCD-R２６に対してデータの書込を行う。
【００３７】
RF処理部１４は、OP部１３から検出されたビームシグナル、サイド、メインからなる８系統の信号を、サンプリング及びホールドし、演算処理を行って、８系統の信号のうちの所定の信号からFE（フォーカスエラー）、TE（トラッキングエラー）、MIRR（ミラー）、ATIP（Absolute Time In Pregroove）、読出し主信号等の信号を生成する。RF処理部１４は、生成した信号のうち、FMDT（FrequencyModulation Data）、FMCK（Frequency Modulation Clock）、TE、FEをサーボ信号処理部１５へと出力し、試し書きによって検出したレーザ強度の最適値（OPC：Optimum Power Calibration）信号及びレーザ点滅・駆動信号を信号処理部１７へと出力し、MIRRをCPU３へと出力する。
【００３８】
サーボ信号処理部１５は、RF処理部１４からのFMDT（Frequency Modulation Data）、FMCK（Frequency Modulation Clock）、TE、FEを入力し、光ディスク特有の各種サーボを制御する信号を生成し、アナログフィルタ処理部１６へと出力する。
【００３９】
アナログフィルタ処理部１６は、サーボ信号処理部１５からの各種サーボの制御信号からアナログ信号を生成して、スピンドルドライバ１８、スレッドドライバ１９、トラッキングドライバ２０、フォーカスドライバ２１へと出力する。
【００４０】
信号処理部１７は、CPU３に制御されて、RF処理部１４からのOPC、DECEFMを入力し、CIRCデコード及びエンコード、ライトストラテジ、ADDrデコード、アシンメトリ計算、ランニングOPC等の処理を行う。記録媒体に対してデータの書込を行う場合は、レーザの点滅・駆動信号、レーザ強度の最適値を示す信号等の信号をOP部１３に対して出力する。
【００４１】
スピンドルドライバ１８は、アナログフィルタ処理部１６からの信号に基づいてスピンドルモータ２２の回転を制御する。スレッドドライバ１９は、アナログフィルタ処理部１６からの信号に基づいてスレッドモータ２３のスレッド動作を制御する。
【００４２】
トラッキングドライバ２０は、アナログフィルタ処理部１６からの信号に基づいてOP部１３を揺動して、CD-R２６のディスク表面に照射されるビームスポットの位置を制御する。フォーカスドライバ２１は、アナログフィルタ処理部１６からの信号に基づいてOP部１３をCD-R２６のディスク表面に対して垂直方向に動かすことによって、レーザの焦点調整を制御する。
【００４３】
スピンドルモータ２２は、スピンドルドライバ１８からの信号に基づいてCD-R２６を回転させる。スレッドモータ２３は、スレッドドライバ１９からの信号に基づいてOP部１３のスレッド動作を行う。
【００４４】
温度検出センサ２４は、OP部１３付近に設置され、CD-R２６付近の温度を検出し、温度を示す信号へと変換してCPU３へと供給している。
【００４５】
CPU３は、上述したように上記クローズセッション処理プログラムや、上記光記録媒体残量表示プログラムを格納するプログラムメモリと、VAT ICB及び各種データを一時的に記憶するとともに作業領域（ワークエリア）としてのSRAMを接続し、上記各プログラムを実行することで、上述したクローズセッション処理部４及び制御部５として機能すると共に、CD-Rドライブ部２を制御するための機能も有する。また、CPU３は、温度検出センサ２４から温度を示す信号を入力し、温度変化が所定量を超えた場合に試し書きを実行する指示を出す。また、CPU３は、所定回数データを書き込む毎に試し書きを実行する指示を出す。
【００４６】
撮像部１０は、被写体の像を取り込むレンズ部３０と、画像信号を生成する電荷結合素子（以下、CCDと記す。）３１と、サンプリング／ホールド（以下、S/Hと記す。）回路３２と、画像信号をデジタル信号に変換するA/D変換回路３３とを有している。CCD３１は、レンズ部３０からの被写体像から画像信号を生成し、生成した画像信号をS/H回路３２へと供給する。S/H回路３２は、CCD３１からの画像信号をサンプリング及びホールドした後、A/D変換回路３３へと供給する。A/D変換回路３３は、S/H回路３２からの画像信号をデジタル信号へと変換し、画像信号演算処理部１１へと供給する。
【００４７】
イメージシグナルプロセッサ（画像信号演算処理部）１１は、CPU３に制御されて、撮像部１０からのデジタル画像信号に対して、RGB信号から色差・輝度信号への色基準形変換、ホワイトバランス処理、γ補正、縮小画像処理、JPEG圧縮処理等の画像処理を行う。処理された画像信号は、メインRAM９に格納された後、信号処理部１７へと供給される。また、画像信号演算処理部１１は、処理した画像信号をVRAM７、Ｄ／Ａコンバータ８を介してLCDパネル部１２へと供給する。
LCDパネル部１２は、画像信号処理演算部１１からVRAM７及びD/A変換器８を介して供給された画像信号を表示する。
【００４８】
上記構成のデジタルスチルカメラ１にあって、CD-Rドライブ２がCD-R２６に書き込んだ画像データは、CPU３のクローズセッション処理部４がCD-R２６にクローズセッション処理を施すことによって、図示しないCD-ROMドライブ装置によって再生することができ、例えばこのCD-ROMドライブ装置に接続された表示部に映し出すことができる。
【００４９】
上述したように、CD-Rでは、記録データが追記されて書き足されていくために、記録可能な状態では、CD-ROM等においてディスク内周部に記録されている目次情報（以下、TOC：Table Of Contentsと記す。）は、記述されていない。
【００５０】
CD-Rは、クローズセッション処理が行われていない状態（追記可能な状態）では、記録媒体のPMA（Program Managemant Area）に書き込まれている暫定TOCを参照することで追記開始位置や、再生データの記録位置を探っている。CD-ROMを再生するための再生装置（CD-ROMドライブ装置）では、PMAに記述されたこの暫定TOCを読出すことができないため、クローズセッション処理されていない追記型記録媒体をCD-ROMに対応する再生装置（CD-ROMドライブ装置）で読み取ることは不可能である。そのため、CD-ROM対応の再生装置（CD-ROMドライブ装置）で再生可能とするためには、クローズセッション処理を行う必要がある。
【００５１】
このため、デジタルスチルカメラ１にあっては、CD-Rドライブ部２によってCD-R２６に書き込まれた画像データを、CPU３が上記プログラムメモリから上記クローズセッション処理プログラムを取り出して実行し、CD-ROMドライブ装置に再生可能とさせるためのクローズセッション処理を施している。このときCPU３はクローズセッション処理部４として動作している。このクローズセッション処理については上記図１３を用いて説明した通りである。
【００５２】
そして、このデジタルスチルカメラ１では、CPU３が上記プログラムメモリから本発明の光記録媒体残量表示方法の具体例となる光記録媒体残量表示プログラムを取り出して実行し、LCDパネル部１２に、例えば図３及び図４に示すように、クローズセッション処理の有無に基づいて上記クローズセッション処理に関する情報を表示させている。このときCPU３は制御部５として動作している。
【００５３】
これらの表示は、記録媒体の全体に占める空き領域の割合を視覚的に使用者に容易に把握させることのできる図形表示であり、かつそれにクローズセッション実施済みの領域が把握できるようにその部分を強調するような図形を合わせたものである。このような表示により使用者は媒体全体に対する空き領域の情報と、クローズセッション済みでありCD-ROMドライブ装置ですぐ読み出すことが可能な領域があるかどうかを同時に知ることができ便利である。
【００５４】
図３には、LCDパネル部１２の右上隅に、未記録残量を示す扇型図形５１と使用済み領域を示す扇型図形５２とを一体化した表示に、クローズセッション処理済みを示す表示５３を追加した形式のアイコン５０を示す。
【００５５】
また、図４には同じくLCDパネル部１２の右上隅に、未記録残量を示す扇型図形６１と、クローズセッション処理済みとその対象領域を示す扇型図形６２と、使用済みでクローズセッション未処理領域を示す扇型図形６３とを一体化したアイコン６０を示す。つまり、クローズセッション済み判別の記号を残量表示と一体化した形式の例である。この具体例については詳細を後述する。
【００５６】
CD-R２６は、上述したように、UDFに準拠したファイルシステムに基づいてデータの書込み及び読出しを行う追記型記録媒体である。このCD-Rの断面図を図５及び図６に示す。図５は、CD-R２６をディスク表面に対して垂直に切断したときの切断面を示している。また図６は、図５の断面図におけるディスク内周側を拡大して示したものである。
【００５７】
図５に示すように、CD-R２６は、パワーキャリブレーション領域（Power Cariblation Area:PCA）と、プログラムマネジメント領域（Program Manegement Area:PMA）と、リードイン領域（Lead-in Area）と、インフォメーション領域（Imformation Area）をと有している。
【００５８】
更に、その拡大図を図６に示すように、パワーキャリブレーション領域は、実際に試し書きを行う領域としてのテスト領域と、試し書きの開始位置及び回数等をカウントするためのカウント領域とを有している。
【００５９】
テスト領域は、１００個のパーティションに分割され、このパーティションは、リードイン領域の開始時間からの相対時間によって指定されている。各パーティションは、必要に応じて最小で１個、最大で１５個のサブパーティションに分割される。このサブパーティションを使用して書込みの直前に試し書きを行うことによりレーザ出力を調整する。
【００６０】
以下、デジタルスチルカメラ１の動作について説明する。動作としては、準備動作、撮影記録動作、再生表示動作、クローズセッションに関する情報と残量情報の表示の動作がある。
【００６１】
先ず、準備動作について図７及び図８を用いて説明する。この準備動作は、CPU３が行うものであり、リードイン領域の任意の位置に光学ピックアップ１３を移動して、既にクローズセッション処理部４によるクローズセッション済み領域と、クローズセッション未領域のアドレスを知ることにより開始される。図７にはリードイン領域に書き込まれているATIPのフレーム構造の概略を示した。図７におけるフレーム番号Nのフレームにはスペシャルインフォメーション１が記述され、フレーム番号（N+10）にはスペシャルインフォメーション２が記述されている。また、各スペシャルインフォメーションに続くフレーム番号（N+1）から（N+9）、及び(N+11）から（N+19）のフレームにはノーマルタイムコードが記述されている。
【００６２】
10フレーム毎に記述されているスペシャルインフォメーション領域には、記録媒体のリードイン領域の開始位置が時間情報として書き込まれている。ここで読み出されるフレーム番号（N+10）に記述されるスペシャルインフォメーション２領域にもリードイン領域の開始位置が時間情報として所定の形式で記述されている。
【００６３】
例えば、記録媒体の記録開始点から２分１１秒経過した位置からリードイン領域が開始される媒体である場合、記録媒体２６のスペシャルインフォメーション２領域には、合計収録時間の１００分から２分１１秒を減算した９７分４９秒という時間情報をデジタル化した信号が記述されている。即ち、「97:49:00」という時間情報が「1001 0111 0100 1001 0000 0000」として記述されている。
【００６４】
このスペシャルインフォメーション領域に書込まれている情報は、記録媒体を識別するための識別コードに相当するものである。例えば、上記時間情報は記録媒体のメーカー商品の判別を行う識別（判別）コードとして使われる。
【００６５】
記録媒体の再生装置では、これらの識別コードに対応するライトストラテジパラメータと他の関連パラメータとをテーブルとして予め記憶している。ライトストラテジとは、書込み後のピットサイズが規格を満たすように、書込み時のレーザパルスを各ピット毎に時間方向とレベル方向に修正するための補正パラメータである。再生装置には、予め記録媒体毎のライトストラテジが用意されている。
【００６６】
CPU３が行う準備動作の概略は以下の通りである。デジタルスチルカメラ１の電源ON直後、CD-Rドライブ部２の光学ピックアップ（OP）部１３をCD-R２６の最内周となる第１セッションのリードイン領域の任意の位置に移動して、TOC情報と次のセッションへのポインタ情報を読み出し、それに従い、次のセッションのTOC情報や更に次のセッションへのポインタを読み出し、最終セッションまでたどり着いたら、クローズセッション済み領域と、クローズセッション未領域のアドレスを知る。次に、クローズセッション未領域は対応するPMA領域内の暫定TOC情報を読み出すことでメディア上の書き込み済最終アドレスを知り、書き込みの際CPU３内で利用する。
【００６７】
準備動作について図８を用いて順序立てて説明する。先ず、ステップＳ１において、第１セッションのリードイン領域のTOCから、次々とクローズセッション済のセッションをたどり、クローズセッション済領域のアドレスを知る。次に、ステップＳ２においてクローズセッション済領域アドレスを内部変数ＡとしてCPU３の作業領域となるＤＲＡＭに格納する。
【００６８】
そして、ステップＳ３においてＰＭＡ領域から暫定TOC情報を読み出し、クローズセッション未領域のアドレスを知り、ステップＳ４にてクローズセッション未領域のアドレスを内部変数ＢとしてCPU３の作業領域となるＤＲＡＭに格納する。以上ステップＳ１〜ステップＳ４により準備動作が終了する。
【００６９】
次に、撮影記録動作について説明する。実際にはこの撮影記録動作中に上記クローズセッションに関する情報と残量情報の表示の動作が入るのでここでは、図９を用いて一緒に説明する。
【００７０】
先ず、CD-Rドライブ部２は、図５及び図６に示したリードイン領域の任意の位置にOP部１３を移動し、ATIP情報を読み出し、その中から上記図７に示したスペシャルインフォメーション２の部分を取り出し、リードイン領域の開始時間から、CD-R２６のメーカー商品の判別コードを読み出す（ステップＳ１１）。
【００７１】
次に、ステップＳ１２にて上記メーカー、商品の判別コード等を用いてCD-Rドライブ部２側に持っている書き込み最適化の為のパラメータから適合するものを選びだし設定する（ステップＳ１２）。そして、ライトストラテジのパラメータやその他の書き込み特性を設定する（ステップ１３）。
【００７２】
次に、ステップＳ１４にて、CCD３１からの画像をイメージシグナルプロセッサ１１経由でLCDパネル部１２の画素数に変換しながらVRAM７に書き込みLCDパネル部１２に順次表示する。このステップＳ１４における処理について詳細に説明する。操作パネル６からのシャッター操作に応じて、レンズ３０を通して光学的にCCD３１上に結像した画像はCCD３１によりアナログ信号として出力され、Ｓ／Ｈ回路３２によりクランプレベルの除去とホールド動作を行った後、Ａ／Ｄ変換器３３によりデジタルデータに変換され、イメージシグナルプロセッサ１１に送られる。このイメージシグナルプロセッサ１１にてオートホワイトバランス、ＲＧＢ→ＹＵＶ色基準変換、γ補正、その他の画像データ形式へ変換し、メインバス（Main Bus）を経由してメインRAM９内に一時的に格納される。イメージシグナルプロセッサ１１では同時に表示用のLCDパネル部１２に合わせた解像度へ表示画像を変換してその変換画像データをVRAM７に書き込み、LCDパネル部１２に順次表示させる。ここでは、撮影に関連する情報等を文字やアイコン等で表し、表示用の上記変換画像データに合成した後、VRAM７に転送し、この内容をLCDパネル部１２の表示タイミングに対応して読み出し、LCDパネル部１２に表示させるようにしてもよい。
【００７３】
次に、ステップＳ１５において、デジタルスチルカメラ１のCPU３は上記光記録媒体残量表示プログラムを実行し、制御部５として動作し、残量表示作成・表示処理を行う。この処理について図１０を用いて説明する。先ず、ステップＳ３２において、上記図８のステップＳ２にてCPU３のSRAMに格納された変数Ａを読み出し、クローズセッション実施済み領域があるかを判断する。ここでクローズセッション実施済み領域がある（ＹＥＳ）であれば、ステップＳ３３に進み、制御部５は上記変数Ａを用いてクローズセッション実施済みの残量表示を作成する。次に、ステップＳ３４にて上記図８のステップＳ４にてCPU３のSRAMに格納された変数Ｂを読み出し、クローズセッション未実施領域の表示を作成する。このステップＳ３４へは上記ステップＳ３２にてクローズセッション実施済み領域が無い（ＮＯ）を判断したときにも至る。次に、制御部５は、ステップＳ３５においてクローズセッション実施の有無の表示を合成し、イメージシグナルプロセッサ１１において上記変換画像データと合成し、ステップＳ３６にてLCDパネル部１２に表示を開始（又は更新）する。
【００７４】
そして、図９のステップＳ１６に進み、ＰＭＡを読み込み、記録媒体に空き領域があるか否かを判断し、空き領域があれば（ＹＥＳ）、書き込み動作が可能であるので、ステップＳ１７〜ステップＳ２０への処理に進む。一方、ここで、空き領域が無い（ＮＯ）のなら、ステップＳ２１に進み、例えば「ディスクの残量がありません」というエラー表示を行う。
【００７５】
ステップＳ１７では、レーザ出力の最適値を決定するためのOPC（Optimum Power Calibration）動作を行う。上述のライトストラテジが書込みピット毎のレーザの詳細な制御であるのに対して、OPC動作は、書込み動作全体を通してのレーザ出力の最適値を算出するための動作である。OPCを行うことによって、理想的な読取り目標値を実現するためのピットの書込み設定値を得ることができる。
【００７６】
OPCは、上記図６に示したPCAのテスト領域で行われる。テスト領域は、１００個のパーティションに分割され、このパーティションは、リードイン領域の開始時間からの相対時間によって指定されている。各パーティションは、更に最大で５個のサブパーティションに分割されており、サブパーティションを最大に定義した場合、１サブパーティションは、３フレームに相当する。この１サブパーティションを使用して書込みの直前に試し書きを行うことで、レーザ出力を調整する。
【００７７】
具体的には、レーザ出力を所定の値から段階的に変化させて、段階毎に記録媒体に書込みを行う。このときのレーザ出力を読み出して、各段階におけるアシンメトリを測定し、目標とするアシンメトリ付近の設定値から直線近似により目標のアシンメトリ値を示すレーザ出力の設定値を得る。
【００７８】
次に、ステップＳ１８において操作パネル部６からのレリース操作を受けて、CCD３１からの画像データをイメージシグナルプロセッサ１１内で所定の圧縮処理方式、例えばＪＰＥＧ圧縮、ＭＰＥＧ圧縮（動画時）で圧縮し、メインＲＡＭ９に書き込む。そして、ステップＳ１９にて上記準備動作で、暫定TOC情報から求めた空き領域の開始アドレス、すなわち読み出したメディア上の最終アドレスからCD-Rドライブ部２により上記画像データの書き込みを開始する。ここで書き込みを終了したら、ステップＳ２０で、ＰＭＡ領域に暫定TOC情報を追加し、上記変数Ｂも更新する。そして、ステップＳ２２に終了を判断したら終了し、まだ終了でなければステップＳ１４からの処理を繰り返す。
【００７９】
次に、再生表示動作について説明する。操作パネル部６からの再生画像指定に応じて、CD-Rドライブ部２を通してCD-R２６の所定の部分より画像データが読み出される。CD-Rドライブ２の動作としては、PMA領域を読み出し、暫定TOC情報から指定の画像データの物理アドレスを調べ、データの読み出しを開始する。読み出されたデータはメインＲＡＭ９上に転送され、次にイメージシグナルプロセッサ１１にて、圧縮画像の場合には伸長処理が行われ、同時に表示用のLCDパネル部１２に合わせた解像度に表示画像を変換したり、撮影に関連する情報や、上記クローズセッションに関連する情報や、残量表示等の情報を文字やアイコンなどで表し表示用のデータに合成した後、VRAM７へ転送し、この内容がLCDパネル部１２の表示タイミングに対応して読み出され表示が行われる。
【００８０】
上記撮影記録動作及び再生表示動作時に行われるクローズセッション情報の表示と残量表示の動作の具体例について説明する。ここでは、上述した図４と同様の具体例を図１１と図１２を用いて説明する。
【００８１】
この具体例では、残量表示アイコン７０はLCDパネル部１２の右上に常時表示されている。図１１はメディアがクローズセッションされる前の表示例であり、アイコン７０は空き領域を示す扇型図形７１とメディアの使用済み領域を示す扇型図形７２からなる。これに対して図１２はクローズセッションされた後の表示例であり、アイコン７０は空き領域を示す扇型図形７１と、クローズセッション実施済みとその対称領域を示す扇型図形７３と、クローズセッション実施後のサイド書き込み領域を示す扇型図形７２からなっている。
【００８２】
クローズセッションはCD-ROM形式にデータを変換するための処理であり、これによりCD-ROMドライブ装置を持つ、例えばパーソナルコンピュータ（ＰＣ）で画像を読み出すことが可能となる。
【００８３】
デジタルスチルカメラ１では、読み出し（再生）動作には、上記クローズセッションは無関係であるが、使用中のメディアの一部がCD-ROMドライブ装置で読み出せる状態にあるかどうかを確認する必要がある。また、クローズセッション済みの部分が撮影済みの領域に占める割合が把握できれば、より便利である。追加も含めクローズセッションの必要性の判断がいつでもできる。
【００８４】
このデジタルスチルカメラ１では、準備動作において読み出されたクローズセッション済み領域のアドレスと、最新PMAから読み出した暫定TOC情報から最新のクローズセッション未領域のアドレスを知り、それに合わせてクローズセッション情報に関する表示図形や、残量表示の図形の形状を変化することができるので、クローズセッション済みの有無が一目で分かり便利である。
【００８５】
また、クローズセッション時にはリードイン領域と、リードアウト領域に記録するデータ量が多くなるので、適当な記録量になった時点で、すなわちあまり早すぎることなく、クローズセッションを実施することが望まれるが、上記デジタルスチルカメラ１では、メディア内の書き込み済データと、クローズセッション済み領域の占める割合が一目で分かるので、クローズセッションをすべきかどうかの判断がしやすくなる。
【００８６】
【発明の効果】
本発明の光記録装置及び光記録媒体残量表示方法は、使用者にクローズセッション処理済みの有無を視覚的に簡単に分からせ、かつクローズセッション処理をすべきかどうかの判断をしやすくさせる。
【図面の簡単な説明】
【図１】本発明の実施の形態となる、デジタルスチルカメラの構成を示すブロック図である。
【図２】上記デジタルスチルカメラを構成するCD-Rドライブ２の詳細な構成を示す図である。
【図３】クローズセッション済み判別の記号を残量表示に追加した形式の具体例を示す図である。
【図４】クローズセッション済み判別の記号を残量表示と一体化した形式の具体例を示す図である。
【図５】本発明の実施の形態として示すデジタルスチルカメラで使用される記録媒体を媒体表面に対して垂直に切断したときの切断面を示す断面図である。
【図６】上記図５の断面を拡大したフォーマット図である。
【図７】本発明の実施の形態として示すデジタルスチルカメラで使用される記録媒体のリードイン領域に書き込まれているATIP情報のフレーム構造の概略を示す概略図である。
【図８】上記デジタルスチルカメラで行われる準備動作を示すフローチャートである。
【図９】上記デジタルスチルカメラで行われる撮影記録動作と、それに含まれる残量表示作成、表示動作を示すフローチャートである。
【図１０】上記図９に示した残量表示作成、表示動作のサブルーチンを示すフローチャートである。
【図１１】クローズセッション未実施の状態のときの残量表示例を示す図である。
【図１２】クローズセッション実施後の状態のときの残量表示例を示す図である。
【図１３】クローズセッション処理を示すフローチャートである。
【符号の説明】
１  デジタルスチルカメラ、２  CD-Rドライブ部、３  CPU、４  クローズセッション処理部、５  制御部、１０  撮影部、１１  イメージシグナルプロセッサ、１２  LCDパネル部、２６  CD-R
【図１】
0003997690.tif 000002
【図２】
0003997690.tif 000003
【図３】
0003997690.tif 000004
【図４】
0003997690.tif 000005
【図５】
0003997690.tif 000006
【図６】
0003997690.tif 000007
【図７】
0003997690.tif 000008
【図８】
0003997690.tif 000009
【図９】
0003997690.tif 000010
【図１０】
0003997690.tif 000011
【図１１】
0003997690.tif 000012
【図１２】
0003997690.tif 000013
【図１３】
0003997690.tif 000014